(57)【要約】      （修正有）【課題】多量のティッシュペーパを収容可能で、且つ使用後のティッシュペーパを収容するダストボックスを備えた衛生的且つ不快感の少ないダストボックス付ティッシュポーチを提供する。【解決手段】本ダストボックス付ティッシュポーチ５０によれば、多量のティッシュペーパを収容することが可能なため、ティッシュペーパの使用頻度が高い場合でもティッシュペーパの不足を防止することができる。また、使用後のティッシュペーパを収容するダストボックス４０を備えているため、衛生的で且つ使用後のティッシュペーパの廃棄時の不快感を軽減することができる。【選択図】図２
0003154628.tif 000002
【実用新案登録請求の範囲】
【請求項１】
箱入りティッシュに収容されているティッシュ束を取り出して長手方向に二つ折りして載置する下方が広がった略Ｖ字形状の台紙と、
当該台紙に形成され前記ティッシュ束の最下層のティッシュペーパの一部を留めるティッシュ留部と、
前記ティッシュ束を台紙ごと収容する中袋と、
当該中袋の上方に形成され中袋に収容されたティッシュペーパを取り出すためのティッシュ取出口と、
前記中袋を収容する外袋と、
当該外袋に形成され備品を収容するための備品収容部と、
開閉可能な底部を備えるとともに前記外袋の側面に付け外しが可能なダストボックスと、
当該ダストボックスの側面に形成されダストボックスを展開可能とする展開部と、
前記ダストボックスの下方に設置されダストボックスの容量を増大可能とする増量袋と、
前記外袋を取り付けるための取り付け具と、
を有することを特徴とするダストボックス付ティッシュポーチ。
【請求項２】
ダストボックスにゴミ袋を固定するための固定具を有することを特徴とする請求項１記載のダストボックス付ティッシュポーチ。
【考案の詳細な説明】
【技術分野】
【０００１】
本考案は、ティッシュペーパを携帯するときに用いるティッシュポーチに関し、特に多量のティッシュペーパが収容可能であり、さらに使用後のティッシュペーパを収容するダストボックスを備えたダストボックス付ティッシュポーチに関するものである。
【背景技術】
【０００２】
近年、アレルギー疾患であるスギ花粉症は国民の多くが罹患し、大きな社会問題となっている。このようなスギ花粉症やアレルギー性鼻炎患者等は鼻水を拭く頻度が極めて多く、その都度ティッシュペーパを取り出すことは非常に煩わしいことである。ここで、下記［特許文献１］には、使用者の腕に設置が可能で且つ収容したティッシュペーパを片手で容易に取り出すことが可能なポーチに関する発明が開示されている。この［特許文献１］に開示された発明は、主に育児時に使用することを前提としており前述のスギ花粉症患者等についての言及は無いが、ティッシュペーパを片手で取り出すことができる点、使用者による携帯が楽である点、においてスギ花粉症患者等に対しても有用である。
【先行技術文献】
【特許文献】
【０００３】
【特許文献１】特開２０００−００４９２１号公報
【考案の概要】
【考案が解決しようとする課題】
【０００４】
ただし、スギ花粉症やアレルギー性鼻炎患者等は鼻水を拭く頻度が多いため多量のティッシュペーパを必要とする。しかしながら、［特許文献１］に開示された発明は、枚数の少ないポケットティッシュを収容するため多くのティッシュペーパを必要とするスギ花粉症患者等にとってはティッシュペーパの枚数が足らないという問題点がある。
【０００５】
また、使用後のティッシュペーパは廃棄することとなるが、特に屋外で活動中の場合にはゴミ箱等が常に近くにあるわけではなく、このような場合には使用後のティッシュペーパを一時的に衣服のポケットやカバン等に収容しなければならない。そして、使用後のティッシュペーパを衣服のポケットやカバン等に収容し、後に取り出して廃棄することは非衛生的であることに加え不快感を伴うものである。更に、一時的に収容した使用後のティッシュペーパをそのまま忘れる可能性もあり、この場合、廃棄時の不快感はなお一層強いものとなる。
【０００６】
本考案は上記事情に鑑みてなされたものであり、多量のティッシュペーパを収容可能で、且つ使用後のティッシュペーパを収容するダストボックスを備えた衛生的且つ不快感の少ないダストボックス付ティッシュポーチを提供することを目的とする。
【課題を解決するための手段】
【０００７】
本考案は、
（１）箱入りティッシュ１に収容されているティッシュ束３を取り出して長手方向に二つ折りして載置する下方が広がった略Ｖ字形状の台紙１０と、当該台紙１０に形成され前記ティッシュ束３の最下層のティッシュペーパの一部を留めるティッシュ留部１２と、前記ティッシュ束３を台紙１０ごと収容する中袋２０と、当該中袋２０の上方に形成され中袋２０に収容されたティッシュペーパを取り出すためのティッシュ取出口２２と、前記中袋２０を収容する外袋３０と、当該外袋に形成され備品を収容するための備品収容部３４と、開閉可能な底部４２を備えるとともに前記外袋３０の側面に付け外しが可能なダストボックス４０と、当該ダストボックス４０の側面に形成されダストボックス４０を展開可能とする展開部４４と、前記ダストボックス４０の下方に設置されダストボックス４０の容量を増大可能とする増量袋４７と、前記外袋３０を取り付けるための取り付け具４９と、を有することを特徴とするダストボックス付ティッシュポーチ５０を提供することにより、上記課題を解決する。
（２）ダストボックス４０にゴミ袋５を固定するための固定具７を有することを特徴とする上記（１）記載のダストボックス付ティッシュポーチ５０を提供することにより、上記課題を解決する。
【考案の効果】
【０００８】
本考案に係るダストボックス付ティッシュポーチによれば、
（１）多量のティッシュペーパを収容することが可能なため、ティッシュペーパの使用頻度が高い場合でもティッシュペーパの不足を防止することができる。
（２）使用後のティッシュペーパを収容するダストボックスを備えているため衛生的であり、また使用後のティッシュペーパを廃棄する時の不快感を軽減することができる。
【図面の簡単な説明】
【０００９】
【図１】本考案に係るダストボックス付ティッシュポーチの中袋及び台紙を説明する図である。
【図２】本考案に係るダストボックス付ティッシュポーチを示す図である。
【図３】本考案に係るダストボックス付ティッシュポーチの取り付け具の例を示す図である。
【考案を実施するための形態】
【００１０】
本考案に係るダストボックス付ティッシュポーチの実施の形態について図面に基づいて説明する。先ず、図１を用いて本考案に係るダストボックス付ティッシュポーチ５０の台紙１０及び中袋２０に関する説明を行う。
【００１１】
先ず、図１（ａ）に示すように、箱入りティッシュ１の側面を開封し、箱入りティッシュ１に収容されているティッシュ束３を取り出す。次に、図１（ｂ）に示すように、取り出したティッシュ束３を長手方向の略中央位置にて二つ折りにし、台紙１０に載置する。台紙１０の一部には切り込み等のティッシュ留部１２が形成されている。そして、ティッシュ束３を台紙１０に載置する際には、ティッシュ束３の最下層のティッシュペーパの一部をこのティッシュ留部１２に挟み込むなどして留めるようにする。ティッシュ留部１２に最下層のティッシュペーパの一部を留めることにより、ティッシュ束３が残り少なくなった場合でも最後まで一枚ずつ確実にティッシュペーパを取り出すことができる。尚、ティッシュ留部１２は台紙１０の縁を直線状に切り込んで形成することが最も簡便で好ましいが、Ｖ字状やＵ字状の切り込みや、クリップ等を用いても良い。
【００１２】
台紙１０は下方が開いた略Ｖ字状もしくはＵ字状の板体であり、底部には底足部１０ａを設けることが好ましい。この底足部１０ａを設けることにより、ティッシュ束３が残り少なくなった場合でも中袋２０の型崩れをある程度防止することができる。また、台紙１０は下方が開いた略Ｖ字状となっているため、後述する中袋２０のティッシュ取出口２２にティッシュ束３の略中央部分を位置させることができる。よって、ティッシュ束３が残り少なくなった場合でもティッシュ束３が中袋２０の底に沈みこむことは無く、ティッシュペーパを最後まで容易に取り出すことができる。
【００１３】
台紙１０としては、厚紙やプラスチック板等を折り曲げて形成することが好ましい。台紙１０を厚紙やプラスチック板を折り曲げて形成すれば折り曲げ方向に適度な復元力が働くから、ティッシュ束３が減少するにつれて台紙１０の下方が外側に開き、ティッシュ束３が残り少なくなった場合でもスムーズにティッシュペーパを取り出すことができる。特に、台紙１０をプラスチック板で形成すれば長期間継続使用しても台紙１０自体の型崩れ（台紙１０が完全に折れ曲がり復元力が無くなった状態）が起こりにくい。また、台紙１０を紙素材で形成すれば軽量化が図れることに加え、例えば台紙１０の角等が使用者に押し付けられた場合でも異物感を感じることが少ない。尚、台紙１０は例えば箱入りティッシュ１の外箱の底面を切り取って折り曲げ、作製するようにしても良い。台紙１０に箱入りティッシュ１の外箱を利用すれば、紙資源の節約とコストダウンとを図ることができる。また、台紙１０に型崩れが生じた場合でも、容易に作製、交換ができる。
【００１４】
ティッシュ束３を収容する中袋２０は、図１（ｃ）に示すように、下方に中袋蓋２６で開閉するティッシュ束出入口２４と、上方にティッシュ束３の最上層のティッシュペーパ３ａを取り出すためのティッシュ取出口２２と、を有している。本考案に係るダストボックス付ティッシュポーチ５０では、中袋２０にティッシュ束３を台紙１０ごと収容することで、使用者が激しい動作をした場合でもティッシュ束３の乱れを防ぐことができる。また、空気中のスギ花粉、埃等がティッシュ束３へ付着することをある程度防止することができる。尚、中袋２０の素材としては薄く柔らかく目地の細かい布を使用することが好ましい。
【００１５】
中袋２０へのティッシュ束３の収容方法としては、先ず、図１（ｃ）に示すように、中袋蓋２６を開けティッシュ束出入口２４からティッシュ束３を台紙１０ごと収容する。このとき、ティッシュ束３は台紙１０により下方が開いた略Ｖ字状となるため、中袋２０内にスムーズに収容される。尚、中袋２０側及び中袋蓋２６側には、一対のマジックテープ（登録商標）等の着脱可能テープ、ホック、磁石等の中袋蓋留部２８が設置されており、ティッシュ束出入口２４の開閉を容易に行うことができる。
【００１６】
次に、図１（ｄ）に示すように、中袋蓋留部２８を留めて中袋蓋２６及びティッシュ束出入口２４を閉じる。尚、中袋蓋２６はティッシュ束出入口２４を覆うのみならず中袋２０の一側面を覆うように長目に形成することが好ましい。中袋蓋２６を長目に形成すれば、中袋２０を後述する外袋３０に出し入れする際にスムーズに行うことができる。次に、中袋２０に収容されたティッシュ束３の最上層のティッシュペーパ３ａをティッシュ取出口２２から部分的に引き出す。これにより、中袋２０へのティッシュ束３の収容が完了する。
【００１７】
次に、図２を用いて本考案に係るダストボックス付ティッシュポーチ５０の外袋３０及びダストボックス４０に関する説明を行う。図２に示すダストボックス付ティッシュポーチ５０の外袋３０は、中袋２０を出し入れする中袋出入口３２と当該中袋出入口３２を開閉するための外袋蓋３６とを有している。
【００１８】
外袋蓋３６側及び外袋３０側の所定の位置には、一対の着脱可能テープ、ホック、磁石等の外袋蓋留部３８が設置されており、外袋蓋３６の開閉を容易に行うことができる。尚、外袋３０側の外袋蓋留部３８は上下方向に長目もしくは所定の間隔で複数設け、ティッシュ束３の量や使用者の好みに応じて外袋蓋３６の留める位置を変化できるようにしても良い。また、中袋２０の外面と外袋３０の内面には一対の着脱可能テープ、ホック、磁石等の滑止部材を設け、ティッシュペーパを引き出す際に中袋２０が外袋３０から出てくることを防止するようにしても良い。さらに、外袋３０に第２のティッシュ取出口を備えた中蓋を設け、この中蓋により中袋２０を押さえて中袋２０の飛び出しを防止するようにしても良い。
【００１９】
尚、外袋蓋３６は取り外し可能としても良い。外袋蓋３６を取り外し可能とすれば、ティッシュペーパの使用の都度、外袋蓋３６を開閉する手間を省くことができる。さらに、外袋蓋３６の開け口側と外袋３０とを伸縮ゴムで固定しても良い。この構成によれば、ティッシュペーパの使用時には伸縮ゴムを延ばして手をいれ、ティッシュペーパを取り出して手を引き抜くと、伸縮ゴムの作用により自動的に外袋蓋３６が閉まることとなる。よって、ティッシュペーパ使用の都度、外袋蓋３６を閉める手間を省くことができる。
【００２０】
外袋３０には、後述のダストボックス４０に用いる替えのゴミ袋５、目薬、鼻炎薬、鏡、化粧用具、筆記用具等の備品を収容するための仕切りやポケット等の備品収容部３４が設置されている。備品収容部３４の設置位置には特に限定は無く、外袋３０の内側、外側、外袋蓋３６の外側、内側等どのような場所に設けても良い。また、備品収容部３４にはファスナ、着脱可能テープ、ホック、磁石等により開閉可能としても良い。尚、備品収容部３４としては特に仕切りやポケット等を設けずに、外袋３０と中袋２０との間のスペースを備品収容部３４として活用しても良い。
【００２１】
外袋３０の少なくとも右側面及び左側面にはダストボックス４０を着脱可能とするホック、着脱可能テープ、磁石等の着脱部材４８が設置されている。また、ダストボックス４０の一側面には外袋３０の着脱部材４８と対応する着脱部材（図示せず）が設置されている。この外袋３０の着脱部材４８とダストボックス４０側の着脱部材とにより、使用者の利き腕、好み等に応じてダストボックス４０を外袋３０の右側もしくは左側に設置することができる。尚、ダストボックス４０は左右面のみならず正面、裏面等に設置可能としても良い。
【００２２】
外袋３０には使用者もしくは使用者の持ち物に取り付けるための取り付け具４９が設置されている。尚、図２では、使用者のウエストに直接付ける方式の取り付け具４９の例を示している。ここで、その他の取り付け具４９の例を図３に示す。図３（ａ）は肩掛け式の取り付け具４９の例である。図３（ｂ）は手持ちもしくは腕から下げる方式の取り付け具４９の例である。図３（ｃ）はバックの持ち手等に付ける方式の取り付け具４９の例である。図３（ｄ）は使用者のズボン用ベルトに通して使用者のウエストに付ける方式の取り付け具４９の例である。図３（ｅ）は図３（ｄ）の取り付け具４９の変形例である。図３（ｆ）は、使用者のズボン用ベルトもしくはベルト通し孔にフック等で吊り下げる方式の取り付け具４９の例である。尚、図３（ａ）〜図３（ｃ）に示す取り付け具４９は長さ調節が可能である。また、図３（ｄ）〜図３（ｆ）に示す取り付け具４９は、図３（ｇ）に示すように、取り付け具４９と外袋３０とを着脱可能として、さらに取り付け具４９と外袋３０との設置位置を上下方向で調整可能としても良い。この構成によれば、使用者の好みに応じてダストボックス付ティッシュポーチ５０に高さ位置を変化させることができる。
【００２３】
尚、上記の図３（ａ）〜図３（ｇ）に示す取り付け具４９は複数併用することも可能である。例えば、図３（ａ）の肩掛け式の取り付け具４９と図３（ｄ）のウエストに付ける方式の取り付け具４９とを併用すれば、運動や現場作業等の激しい動作を行った際にも、ダストボックス付ティッシュポーチ５０の位置ずれや振れ等を防止することができる。
【００２４】
また、取り付け具４９は外袋３０に固定しても良いが、図２に示すように、クリップ４９ａや着脱可能テープ、ホック、磁石等を用いて着脱可能とすることが好ましい。この構成によれば、使用者の状況に応じて取り付け具４９が選択可能となり利便性が向上することに加え、特に現場作業時等ではダストボックス付ティッシュポーチ５０が機械に巻き込まれた場合などに取り付け具４９から外れるため安全性の面から好ましい。取り付け具４９に用いるベルトの素材には特に限定は無く、編ベルト、革、合成皮革、綿ベルト、リボン等を用いることができる。また、伸縮性を有するゴムベルトを用いれば、ダストボックス付ティッシュポーチ５０の位置ずれや振れ等を防止することができる。
【００２５】
次に、ダストボックス４０に関する説明を行う。外袋３０の側面に設置するダストボックス４０は、開閉可能な蓋部４６と、開閉もしくは取り外しが可能な底部４２とを有している。また、ダストボックス４０の側面には展開部４４が形成されており、展開部４４を外した場合にはダストボックス４０は展開する。さらに、ダストボックス４０の下方には増量袋４７が設置されている。尚、底部４２及び展開部４４の着脱部材としてはファスナ、着脱可能テープ、ホック、磁石等を用いることができる。
【００２６】
蓋部４６は着脱可能テープ、ホック、磁石等の蓋部着脱部材４６ａを介してダストボックス４０に設置されており、ダストボックス４０の設置位置に応じて蓋部４６の開く方向を変化させることができる。
【００２７】
次に、本考案に係るダストボックス付ティッシュポーチ５０の使用法を説明する。先ず、ダストボックス４０の蓋部４６を開け、ゴミ袋５を袋状としてダストボックス４０の内部に挿入する。このときゴミ袋５の口をダストボックス４０の口で外側に折り返すことが好ましい。また、両面テープやクリップ等の固定具７を用いてゴミ袋５をダストボックス４０に固定し、使用時のゴミ袋５の脱落やズレを防止するようにしても良い。このゴミ袋５の取り付けの際、展開部４４を開いてダストボックス４０を展開すれば、例えば両面テープによるゴミ袋５の固定を容易に行うことができる。尚、固定具７にクリップを用いる場合にはクリップ同士を鎖や紐で繋ぎその一端をダストボックス４０や外袋３０の一部に固定しておけばクリップの紛失を防止できることに加え、装飾性に優れたものとなる。ゴミ袋５としてはダストボックス４０用に専用に作製されたものの他、市販のビニール袋、ポリエチレン袋や一般の商店で得られるレジ袋やポリエチレン袋を使用することができる。また、ゴミ袋５に不透明なものを用いればゴミ袋５の内容物が見えず廃棄時の不快感をさらに軽減することができる。また、使用するゴミ袋５には除菌効果を施しても良い。
【００２８】
次に、ダストボックス４０側の着脱部材と外袋３０側の着脱部材４８とを付け、ダストボックス４０を外袋３０の好みの側面に取り付ける。このとき、蓋部着脱部材４６ａを用いて蓋部４６の開く方向を使用者が使い易い方向に付け替える。
【００２９】
次に、前述のようにして、ティッシュ束３を台紙１０ごと中袋２０に収容する。次に、外袋蓋３６を開けてティッシュ束３が収容された中袋２０を中袋出入口３２から外袋３０内に収容する。次に、外袋蓋留部３８を留めて外袋蓋３６及び中袋出入口３２を閉める。次に、取り付け具４９を用いてダストボックス付ティッシュポーチ５０を使用者に装着する。
【００３０】
使用者がティッシュペーパを取り出す際には、外袋蓋３６を開けて中袋２０のティッシュ取出口２２からティッシュ束３の最上層のティッシュペーパ３ａを引き出す。中袋２０内に収容されたティッシュ束３は箱入りティッシュ１のものをそのまま収容したものであるから、箱入りティッシュ１と同様に最上層のティッシュペーパ３ａを引き出すと次層のティッシュペーパの一部分がティッシュ取出口２２から排出される。よって、連続的にティッシュペーパを引き出すことができる。
【００３１】
次に、使用者はティッシュペーパを使用した後、ダストボックス４０の蓋部４６を開け使用後のティッシュペーパをダストボックス４０内のゴミ袋５に投入する。そして、蓋部４６を閉める。尚、ダストボックス４０が使用後のティッシュペーパで一杯になった場合、ダストボックス４０の底部４２を開くもしくは取り外し、ダストボックス４０の下方に畳まれて収容されている増量袋４７を下方向に引き出して広げる。これにより、ダストボックス４０の容量を増大することができる。尚、取り外した底部４２は、備品収容部３４に収容しておけば良い。
【００３２】
そして、使用者がゴミ箱のある場所に移動した時に、使用者はゴミ袋５をダストボックス４０から取り外し、ゴミ袋５ごと使用後のティッシュペーパをゴミ箱等に廃棄する。そして、備品収容部３４等から替えのゴミ袋５等を取り出しダストボックス４０に設置する。尚、使用後のティッシュペーパを廃棄する際に、ダストボックス４０を外袋３０から取り外した上で展開部４４を開くことにより、使用者はゴミ袋５に触れることなく使用後のティッシュペーパの廃棄を行うことができる。また、ゴミ袋５を両面テープで固定している場合には、両面テープを容易にはがすことができる。
【００３３】
このように、本考案に係るダストボックス付ティッシュポーチ５０はダストボックス４０を備えているため、使用後のティッシュペーパをいちいちゴミ箱等に捨てに行く手間を省くことができる。また、使用後のティッシュペーパを衣服やカバン等に一旦収容することも無く極めて衛生的である。さらに、使用後のティッシュペーパの廃棄はゴミ袋５ごと行うことができるので、衛生的且つ廃棄時の不快感を軽減することができる。
【００３４】
尚、ダストボックス４０及び外袋３０の外面、内面に装飾性の豊かな内布を貼ればダストボックス付ティッシュポーチ５０の美観を向上させることができる。また、ダストボックス４０及び外袋３０に防水性を施せば、雨天でも安心して使用することができる。さらに、ダストボックス４０、外袋３０、取り付け具４９の一部に蛍光テープや反射テープを設置すれば、夜間や暗い所で使用する場合の安全性が向上する。また、収容するティッシュ束３を箱入りティッシュ１の例えば半箱分として、ダストボックス付ティッシュポーチ５０を小型化しても、外袋３０及び中袋２０の厚さを収容するティッシュ束３の量に応じて変化可能としても良い。
【００３５】
尚、ダストボックス付ティッシュポーチ５０は主に、花粉症や鼻炎で且つ、屋外での作業従事者、散歩やジョギング中、保育士や育児中の主婦、等の人に特に好適である。
【００３６】
以上のように、本考案に係るダストボックス付ティッシュポーチ５０によれば、多量のティッシュペーパを収容することが可能なため、ティッシュペーパの使用頻度が高い場合でもティッシュペーパの不足を防止することができる。また、使用後のティッシュペーパを収容するダストボックス４０を備えているため、衛生的で且つ使用後のティッシュペーパの廃棄時の不快感を軽減することができる。
【００３７】
尚、本考案は本考案の要旨を逸脱しない範囲で変更して実施することが可能である。
【符号の説明】
【００３８】
１      箱入りティッシュ
３      ティッシュ束
５      ゴミ袋
７      固定具
１０    台紙
１２    ティッシュ留部
２０    中袋
２２    ティッシュ取出口
３０    外袋
３４    備品収容部
４０    ダストボックス
４２    底部
４４    展開部
４７    増量袋
４９    取り付け具
５０    ダストボックス付ティッシュポーチ
【図１】
0003154628.tif 000003
【図２】
0003154628.tif 000004
【図３】
0003154628.tif 000005